(57)【要約】【課題】門柱の間に親子扉が非直線状に配置される門ユニットにおいて、親扉と子扉の間の設置角度を施工現場にあわせて容易に対応させることができ、施工性に優れつつ、親子扉の突合部分の外観意匠性の向上と機能性の向上を図りやすい門ユニットとなる角度付門扉の提供を目的とする。【解決手段】門柱間に取り付けられる親扉と子扉とからなる門ユニットにおいて、子扉または親扉の少なくとも一方の突合部側に、角度調整部材を扉の上下に渡って設けた。【選択図】  図１
2005146579.tif 000002
【特許請求の範囲】
【請求項１】
門柱間に取り付けられる親扉と子扉とからなる門ユニットにおいて、子扉または親扉の少なくとも一方の突合部側に、角度調整部材を扉の上下に渡って設けたことを特徴とする角度付門扉。
【請求項２】
扉の突合框とパネル部の間に、角度調整部材を取り付けたことを特徴とする請求項１記載の角度付門扉。
【請求項３】
円弧部と略平面部とからなる半円柱または半円筒状の角度調整部材の略平面部にて、扉の突合框及びパネル端部をそれぞれ枢着させ、この扉の突合框とパネル端部から前記角度調整部材の円弧部に化粧板をそれぞれ延在させたことを特徴とする請求項２記載の角度付門扉。
【発明の詳細な説明】
【技術分野】
【０００１】
本発明は、非直線上に親扉と子扉を配置する親子扉の構造に係り、特に門ユニットとして施工する際の施工性に優れた門ユニットに係る。
【背景技術】
【０００２】
一般に親子扉からなる門ユニットは、左右の門柱を結ぶ線上に親扉及び子扉を直線上に配置して家の敷地の端部付近に設けられる場合が多い。
この場合、敷地と道路との境界部分に門柱を設置し、その門柱間に直線上に門扉を設けると、来訪者が道路上でインターホン操作を行ったり、門扉の開閉操作を道路上で行うこととなるため、これら門ユニットは道路との間に方形のスペースを確保して、ある程度敷地の内側に設けられる場合が多い。
しかし、このように門ユニットを敷地の内側に設けるとその分の敷地の利用が制限されることとなる。
一方、近年の住宅事情においては住宅の敷地が限られていることより、角地の住宅では敷地のコーナー部分に門を配置せざるを得ない場合もある。
またガーデンプランに適合させるために、門柱間に非直線上に親扉と子扉を配置する門ユニットも求められている。
これらの事情から、道路との境界部分に門柱を配置させつつ門扉と道路間に来訪者のためのスペースを設けたり、敷地のコーナー部分に門を設けるために、親扉と子扉の位置関係が非直線状の例えば、略ヘの字形状である門扉形状が要望されている。
そこで、門扉の突合位置が門柱間を結ぶ線よりも敷地内側となるように、また、親子扉の配置が敷地のコーナー部に沿った配置とするために、その上面視形状を略への字形状とするための門ユニット毎の個別の加工及び施工がなされている場合が多かった。
この加工は親扉と子扉の角度が施工場所によって異なるため、門ユニットの施工場所に一度出向いて採寸し、そして親扉と子扉を所定の角度にする加工を工場にて行うものであった。
よって、このような門ユニットの設置には、採寸と施工の２度の出張を要し、その都度複雑な加工を行うことから割高で長納期となっていた。
特開２００３−８２９６５号公報には、門扉を閉じた状態で両方の門の支柱を結ぶ直線よりも平面視で屋内側に突曲するように門扉の平面視形状を非直線状に形成する技術が開示されている。
しかしながら、この技術は非直線状に形成した門扉をそのまま取り付けるものであって、施工場所に応じて角度調整する機能は無い。
特開２００３−２７８４６９号公報には門柱を断面円状として、門扉を取り付けるヒンジ部材を、門柱の周方向に位置調整自在に設けることで、設置する親子扉の角度を容易に調整する技術が開示されている。
この技術は、施工場所によって異なる親扉と子扉の角度を調整するために、門扉の門柱に対する取り付け角度を調整している。
その調整方法は、門扉の門柱への取り付け具であるヒンジ部材のヒンジピンの方向を、門柱の周方向にずらして取り付けるものである。
しかしこの技術では、施工場所によって親扉と子扉の角度を変化させると、親扉と子扉の突合部分における角度も変化してしまう。
このため親扉と子扉間に、ラッチ構造及び施錠構造を設けにくいという問題がある。
また、突合部分の隙間が角度調整により開くので、この隙間が見苦しくなり外観意匠上も問題がある。
【０００３】
【特許文献１】特開２００３−８２９６５号公報
【特許文献２】特開２００３−２７８４６９号公報
【発明の開示】
【発明が解決しようとする課題】
【０００４】
本発明は上記技術的課題に鑑みて、門柱の間に親子扉が非直線状に配置される門ユニットにおいて、親扉と子扉の間の設置角度を施工現場にあわせて容易に対応させることができ、施工性に優れつつ、親子扉の突合部分の外観意匠性の向上と機能性の向上を図りやすい門ユニットとなる角度付門扉の提供を目的とする。
【課題を解決するための手段】
【０００５】
請求項１記載の発明の技術的要旨は、門柱間に取り付けられる親扉と子扉とからなる門ユニットにおいて、子扉または親扉の少なくとも一方の突合部側に、角度調整部材を扉の上下に渡って設けた点である。
ここで、突合部としたのは、突合框を分割してその間に角度調整部材を設けても、
突合框の側部に角度調整部材を設けても良く、突合框又はそれの近傍にとの意味である。
【０００６】
このように親扉又は子扉の一方に角度調整部材を取り付けたので、現地での取り付け角度に合わせて容易に施工できる。
【０００７】
角度調整部材は、子扉の突合框とそのパネル部の間あるいは、親扉の突合框とそのパネル部の間のどちらに取り付けても良いが、通常時、親扉を開閉して出入する場合には角度調整部を通常開かない子扉側に取り付けるのがよい。
【０００８】
ここで扉のパネル部とは扉面を形成している部分であって、網状、板状、縦桟、横桟、格子状等どのような構造のものでもよい。
この角度調整部材を突合框（突き合わせ側の支柱）とパネル部の間に取り付けるとは、扉の突合框は相手側の突合框と直線的に突合せることができ、パネル部の取り付け角度をこの角度調整部材ですることをいう。
角度調整部材にて、門扉の水平方向の断面形状における折れ曲がり角度を調整することで、親扉と子扉の角度が施工場所によって変化しても、親扉と子扉の突合部分の角度を一定に保って親扉と子扉を突合わせることができる。
これにより、突合部分にラッチ構造や施錠構造を容易に設けることができる。
【０００９】
門以外の親子扉においても、縦框と平行にヒンジ状などの折り曲げ部を設けて曲げ調整することで、両扉のパネルの形成する設置角度を施工場所に応じて変化させ、突合位置における両扉の突合状態を一定に保つことができる。
これにより、突合部分における外観意匠や機能の設計が容易になる。
【００１０】
請求項３記載の発明の技術的要旨は、円弧部と略平面部とからなる半円柱または半円筒状の角度調整部材の略平面部にて、扉の突合框及びパネル端部をそれぞれ枢着させ、この扉の突合框とパネル端部から前記角度調整部材の円弧部に化粧板をそれぞれ延在させた点である。
【００１１】
このように角度調整部材として、内側の略平面部にて扉の突合框（突合側の支柱部）とパネル部の端部とをそれぞれ枢着させ、円弧側面に延出して設けられる化粧板とを備えたことにより、化粧板は角度調整部材の円弧部に沿って移動する。
連結部材円弧部は、化粧板の移動線に沿って曲面を設けることで、扉の折り曲げ角度をさまざまに変化させた場合でも、左右の化粧板表面は円弧部を介して滑らかに連続する。
【発明の効果】
【００１２】
本発明に係る角度付門扉においては、門柱の間に非直線状に親子扉を配置して施工する場合において、扉に角度調整部材が設けられていることから施工場所において角度調整することが容易であり、施工前に施工場所の採寸を行って所定の角度となるように扉を加工しておく必要がない。
これにより、従来必要であった採寸と施工の２度の出張が不要となり、個別の加工も不要となることからコスト低減の効果と納期短縮の効果がある。
【００１３】
親扉と子扉の角度を様々な角度に調整して設置しても、突合部分の状態は一定に保たれるため、突合部分における操作性や防犯性などの機能の付加や、強度の確保及び外観意匠性の向上を図りやすい。
【００１４】
角度調整部材を、半円柱状または半円筒状の形状にし、分断した扉を連結し、その円弧部上に扉より化粧板を延出して構成した場合、角度調整をして分断した扉の角度を変えても、扉の連結部分の開口側は扉面の化粧板と円弧部とをスムーズに連続させることができ、折り曲げ部分に隙間が生じることなく外観意匠性に優れる。
【発明を実施するための最良の形態】
【００１５】
本発明に係る門ユニットの実施例を図１に示す。
図１（イ）は、門ユニット１０を出隅納まりに形成した場合の上方からみた断面図を示し、図１（ロ）は門ユニット１０を入隅納まりに形成した場合の上方からみた断面図を示す。
図１（イ）は、門柱４１、５１を結ぶ線Ａよりも屋外側に親扉４０と子扉５０からなる親子扉の突合部３０が突出した状態に設置される例を示し、角地などの住宅の敷地１のコーナー部に門ユニットを設置する場合には、子扉５０に設けられている角度調整部材２０により突合部分３０を敷地１のコーナー部の頂点に合わせ、親扉４０と子扉５０を敷地の縁に沿う状態で設置できる。
図１（ロ）は、門柱４１、５１を結ぶ線Ｂよりも敷地の内側に突合部分３０が凹んだ状態で設置される場合を示す。
例えば、門柱４１、５１を敷地１の道路に面した縁部分に設ける場合には、角度調整部材２０により突合部分３０を敷地の内側方向に凹ませることで、門柱４１、５１を道路近くに設けても、左右の門柱間と門扉との間に訪問者が立つことのできる敷地１上のスペースＳをコンパクトに設けることができる。
ここで、図１（ロ）の角度調整部材２０は、図１（イ）における角度調整部材２０とは表裏を逆にして門ユニットへ取り付けられている。
【００１６】
図１（イ）において、親扉側門柱４１には肘付きヒンジ３１を介して親扉４０が開閉自在に取り付けられ、子扉側門柱５１には肘付きヒンジ３１を介して子扉５０が開閉自在に取り付けられている。
親扉４０と子扉５０の突合位置に対応する部分の門設置面１１には、ハンドル４５の操作により親扉４０の突合框４３より下方へ入出するクレモンボルト４４の受座と、子扉５０の突合框５３に設けられているフランス落とし５５の受座が設けられ、それらは親子扉及び門柱と合わせて門ユニットを構成している。
通常、子扉５０はフランス落とし５５により設置面１１の受座に係止されていて、通行する際はハンドル４５を操作し親扉を開閉することで出入する。
門を大きく開く際は、親扉４０を開いた上で子扉５０のフランス落とし５５を解除して子扉５０を開く。
子扉突合框５３のパネル側には角度調整部材２０が備えられている。
突合部分３０付近の拡大図を図２に示す。
図２では扉のパネル部分や門柱等は省略して描いてある。
図２（イ）は親扉と子扉のパネル部分の直線に対する曲げ角度（角度調整部材の角度）を４５°とした場合で、図２（ロ）は９０°とした場合を示し、図２（ハ）は直線状とした場合である。
角度調整部材付近の拡大図を図３に示す。
角度調整部材２０は半円筒形状からなり、略円弧部２０ａと略平面部２０ｂから構成され、子扉突合框５３と子扉パネル端部５４との間に連結されている。
また、子扉突合框５３は連結端部５３ｂ、及び角度調整部材の円弧部２０ａ側に延在させた化粧板部５３ａからなる。
角度調整部材円弧部２０ａの円柱中心軸位置付近の略平面部２０ｂには、断面略円弧状の連結凹部２０ｃが扉の縦方向に２本設けられ、断面略Ｃ字形状の連結端部５３ｂ、５４ｂが突合框及びパネル端部から延在して形成され、この連結端部がそれぞれ角度調整部材の連結凹部２０ｃに嵌合枢着されている。
これにより、突合框５３の連結端部５３ｂとパネル端部の連結端部５４ｂは角度調整部材２０にて開閉自在に連結されていることになる。
一方、突合框５３の外側の化粧板部５３ａ、パネル端部の外側から延在させた化粧板部５４ａは、角度調整部材２０の円弧部２０ａ近傍まで延出され、折り返されている。
これにより、突合框５３とパネル端部５４とを連結端部（軸支部）５３ｂ、５４ｂを軸として角度調整すると、延出している左右の扉の化粧板部５３ａ、５４ａは円弧部２０ａに沿って回動することとなり、角度調整部材２０開口側部分の外観は左右の化粧板部５３ａ、５４ａと円弧部２０ａとで連続的に形成されることとなり外観意匠が良い。
【００１７】
具体的には角度調整部材２０の円弧部２０ａは、図２（ハ）に示す親扉４０と子扉５０が直線上の状態から、図２（イ）、図２（ロ）に示すように角度調整部材２０を折り曲げるに従って、左右の化粧板部５３ａ、５４ａが円弧部に沿って移動することにより、左右の化粧板の間の隙間が円弧部側面で塞がれる。
このように子扉に角度調整部材を設け、その折り曲げ角度を施工場所に応じて調整することで、門柱の間に親子扉を非直線上に配置する門ユニットを予め採寸し加工することなく簡単に設置でき、親扉と子扉の召合框を直線上に合わせることができる。
図１において、この角度調整部材２０は親扉突合框４３側に設けてもよい。
一方、親扉４０と子扉５０の突合部そのものは直線的に配置でき、親扉と子扉間のラッチ構造やロック構造を容易に共通化できる。
【図面の簡単な説明】
【００１８】
【図１】（イ）本発明に係る門ユニットで出隅納まりの場合の水平方向断面図を示す。（ロ）本発明に係る門ユニットで入隅納まりの場合の水平方向断面図を示す。
【図２】突合部付近の拡大図を示し、（イ）は折り曲げ角度が直線上に対して４５°の場合を示し、（ロ）は角度が９０°の場合を示し、（ハ）は直線状の場合を示す。
【図３】連結部材付近（ヒンジ部）の拡大図を示す。
【符号の説明】
【００１９】
１      敷地
１０    門ユニット
１１    門設置面
２０    角度調整部材
２０ａ  角度調整部材円弧部
２０ｂ  角度調整部材略平面部
２０ｃ  角度調整部材の連結凹部
３０    突合部分
３１    肘付きヒンジ
４０    親扉
４１    親扉側門柱
４２    親扉パネル部
４３    親扉突合框
４４    クレモンボルト
４５    ハンドル
５０    子扉
５１    子扉側門柱
５２    子扉パネル部
５３    子扉突合框
５３ａ  化粧板部
５３ｂ  子扉突合框の連結端部
５４    子扉パネル端部
５４ａ  化粧板部
５４ｂ  子扉パネル部の連結端部
５５    フランス落とし
【図１】
2005146579.tif 000003
【図２】
2005146579.tif 000004
【図３】
2005146579.tif 000005